(57)【要約】【課題】残像を最小化したプラズマ表示装置及びその駆動方法を提供することにある。【解決手段】本発明によるプラズマ表示装置は、第１電極に第１サステインパルスを印加する第１駆動部、及び第２電極に第２サステインパルスを印加する第２駆動部を備え、第２サステインパルスの上昇区間及び第１サステインパルスの下降区間は、少なくとも部分的に重なる。【選択図】図３
2006189828.tif 000002
【特許請求の範囲】
【請求項１】
第１電極に第１サステインパルスを印加する第１駆動部と、
第２電極に第２サステインパルスを印加する第２駆動部と、を備え、
前記第２サステインパルスの上昇区間及び前記第１サステインパルスの下降区間は、少なくとも部分的に重なることを特徴とするプラズマ表示装置。
【請求項２】
前記第２サステインパルスの下降区間及び前記第１サステインパルスの上昇区間は、少なくとも部分的に重なることを特徴とする請求項１に記載のプラズマ表示装置。
【請求項３】
前記第１サステインパルスの上昇区間及び前記第２サステインパルスの下降区間は、電圧変化区間に少なくとも部分的に重なり、前記電圧変化区間は、ほぼ１０ｎｓ〜５００ｎｓの区間であることを特徴とする請求項２に記載のプラズマ表示装置。
【請求項４】
前記第１サステインパルスの下降区間及び前記第２サステインパルスの上昇区間は、電圧変化区間に少なくとも部分的に重なり、前記電圧変化区間は、ほぼ１０ｎｓ〜５００ｎｓの区間であることを特徴とする請求項１に記載のプラズマ表示装置。
【請求項５】
前記第２サステインパルスの上昇区間の開始時点から前記第１サステインパルスの下降区間の終了時点までと定義される電圧変化区間は、前記第２サステインパルスの維持区間に比べて１／３以下であることを特徴とする請求項１に記載のプラズマ表示装置。
【請求項６】
前記第２サステインパルスの下降区間の開始時点から前記第１サステインパルスの上昇区間の終了時点までと定義される電圧変化区間は、前記第１サステインパルスの維持区間に比べて１／３以下であることを特徴とする請求項１に記載のプラズマ表示装置。
【請求項７】
前記上昇区間は、前記第１サステインパルスの維持区間と部分的に重なることを特徴とする請求項１に記載のプラズマ表示装置。
【請求項８】
前記下降区間は、前記第２サステインパルスの維持区間と部分的に重なることを特徴とする請求項１に記載のプラズマ表示装置。
【請求項９】
第１電極に第１サステインパルスを印加する第１駆動部と、
第２電極に第２サステインパルスを印加する第２駆動部と、を備え、
電圧変化区間の少なくとも一部区間に前記第１サステインパルスの上昇区間が前記第２サステインパルスの下降区間と重なるように、前記第１サステインパルスのデューティーサイクル及び前記第２サステインパルスのデューティーサイクルは、５０％〜６７％の範囲を有することを特徴とするプラズマ表示装置。
【請求項１０】
前記電圧変化区間は、ほぼ１０ｎｓ〜５００ｎｓの区間であることを特徴とする請求項９に記載のプラズマ表示装置。
【請求項１１】
前記電圧変化区間は、維持区間に比べて１／３以下であることを特徴とする請求項９に記載のプラズマ表示装置。
【請求項１２】
第１電極に第１サステインパルスを印加するステップと、
第２電極に第２サステインパルスを印加するステップと、を含み、
前記第２サステインパルスの上昇区間及び前記第１サステインパルスの下降区間は、少なくとも部分的に重なることを特徴とするプラズマ表示装置の駆動方法。
【請求項１３】
前記第２サステインパルスの下降区間及び前記第１サステインパルスの上昇区間は、少なくとも部分的に重なることを特徴とする請求項１２に記載のプラズマ表示装置の駆動方法。
【請求項１４】
前記第１サステインパルスの上昇区間及び前記第２サステインパルスの下降区間は、電圧変化区間に少なくとも部分的に重なり、前記電圧変化区間は、ほぼ１０ｎｓ〜５００ｎｓの区間であることを特徴とする請求項１３に記載のプラズマ表示装置の駆動方法。
【請求項１５】
前記第２サステインパルスの上昇区間及び前記第１サステインパルスの下降区間は、電圧変化区間に少なくとも部分的に重なり、前記電圧変化区間は、ほぼ１０ｎｓ〜５００ｎｓの区間であることを特徴とする請求項１２に記載のプラズマ表示装置の駆動方法。
【請求項１６】
前記第１サステインパルスは、
ほぼ３００ｎｓ〜７００ｎｓの上昇区間と、
ほぼ１．７μｓ〜１．９μｓの維持区間と、
ほぼ３００ｎｓ〜６００ｎｓの下降区間と、を備えることを特徴とする請求項１２に記載のプラズマ表示装置の駆動方法。
【請求項１７】
前記第２サステインパルスの上昇区間の開始時点から前記第１サステインパルスの下降区間の終了時点までと定義される電圧変化区間は、前記第２サステインパルスの維持区間に比べて１／３以下であることを特徴とする請求項１２に記載のプラズマ表示装置の駆動方法。
【請求項１８】
前記第２サステインパルスの下降区間から前記第１サステインパルスの上昇区間までと定義される電圧変化区間は、前記第１サステインパルスの維持区間に比べて１／３以下であることを特徴とする請求項１３に記載のプラズマ表示装置の駆動方法。
【請求項１９】
前記上昇区間は、前記第１サステインパルスの維持区間と部分的に重なることを特徴とする請求項１２に記載のプラズマ表示装置の駆動方法。
【請求項２０】
前記下降区間は、前記第２サステインパルスの維持区間と部分的に重なることを特徴とする請求項１２に記載のプラズマ表示装置の駆動方法。
【発明の詳細な説明】
【技術分野】
【０００１】
本発明は、プラズマディスプレイパネルに係り、特に残像を最小化したプラズマ表示装置及びその駆動方法に関する。
【背景技術】
【０００２】
プラズマディスプレイパネル（以下、“ＰＤＰ”という）は、Ｈｅ＋Ｘｅ、Ｎｅ＋Ｘｅ、Ｈｅ＋Ｘｅ＋Ｎｅなどの不活性の混合ガスが放電するときに発生する紫外線が蛍光体を発光させることによって、画像を表示する。このようなＰＤＰは、薄膜化及び大型化が容易であるだけでなく、最近の技術開発によって画質が向上する。
【０００３】
図１は、従来の３電極交流面放電型のＰＤＰの放電セルを示す斜視図である。
【０００４】
図１に示すように、３電極交流面放電型のＰＤＰの放電セルは、上部基板１６上に形成されたスキャン電極Ｙ及びサステイン電極Ｚ、下部基板１４上に形成されたアドレス電極Ｘを備える。
【０００５】
スキャン電極Ｙ及びサステイン電極Ｚそれぞれは、透明電極、及び透明電極の線幅より狭く、透明電極の一側のエッジに形成される金属バス電極を備える。透明電極は、通常、インジウム錫酸化物（ＩＴＯ）で上部基板１６上に形成される。金属バス電極は、通常、クロム（Ｃｒ）などの金属で透明電極上に形成されて、抵抗の高い透明電極による電圧降下を減らす役割を担う。
【０００６】
スキャン電極Ｙ及びサステイン電極Ｚが並べて形成された上部基板１６には、上部誘電体層１２及び保護膜１０が積層される。上部誘電体層１２には、プラズマ放電時に発生した壁電荷が蓄積される。保護膜１０は、プラズマ放電時に発生したスパッタリングによる上部誘電体層１２の損傷を防止すると共に２次電子の放出効率を向上させる。保護膜１０としては、通常、酸化マグネシウム（ＭｇＯ）が利用される。
【０００７】
アドレス電極Ｘが形成された下部基板１４上には、下部誘電体層１８及び隔壁８が形成され、下部誘電体層１８及び隔壁８の表面には、蛍光体層６が塗布される。アドレス電極Ｘは、スキャン電極Ｙ及びサステイン電極Ｚと交差する方向に形成される。隔壁８は、アドレス電極Ｘと並べて形成されて、放電により生成された紫外線及び可視光が隣接した放電セルに漏れることを防止する。蛍光体層６は、プラズマ放電時に発生した紫外線により励起されて、赤色、緑色または青色のうちいずれか一つの可視光線を発生させる。上部基板１６及び下部基板１４と隔壁８との間に設けられた放電空間には、不活性の混合ガスが注入される。
【０００８】
ＰＤＰは、画像の階調を具現するために、一つのフレームを発光回数が異なる複数のサブフィールドに分けて時分割駆動する。各サブフィールドは、全画面を初期化させるためのリセット区間と、アドレス電極を選択し、選択されたアドレス電極からセルを選択するためのアドレス区間、及び放電回数によって階調を具現するサステイン区間に分けられる。ここで、リセット区間は、上昇ランプ波形が印加されるセットアップ区間と、下降ランプ波形が印加されるセットダウン区間とに分けられる。
【０００９】
例えば、２５６階調で画像を表示しようとする場合に、１／６０秒に該当するフレーム区間（１６．６７ｍｓ）は、８個のサブフィールドＳＦ１〜ＳＦ８に分けられる。８個のサブフィールドＳＦ１〜ＳＦ８それぞれは、前述したように、リセット区間、アドレス区間及びサステイン区間に分けられる。各サブフィールドのリセット区間及びアドレス区間は、各サブフィールドごとに同一である一方、サステイン区間は、各サブフィールドで２ｎ（ｎ＝０，１，２，３，４，５，６，７）の割合で増加する。
【００１０】
図２は、一つのサブフィールドに印加されるＰＤＰの駆動波形を示す図面である。
【００１１】
ここで、Ｙはスキャン電極、Ｚはサステイン電極、Ｘはアドレス電極を表す。
【００１２】
図２に示すように、ＰＤＰは、全画面を初期化させるためのリセット区間ＲＰＤ、放電セルを選択するためのアドレス区間ＡＰＤ、及び選択された放電セルの放電を維持させるためのサステイン区間ＳＰＤに分けて駆動される。
【００１３】
リセット区間ＲＰＤで、スキャン電極ＹにリセットパルスＲＰが印加される。リセットパルスＲＰは、セットアップ時にランプ波形に電圧が上昇し、セットダウン時は電圧が下降する形態を有する。セットアップ時、スキャン電極Ｙとサステイン電極Ｚとの間でリセット放電が発生して、全画面のセル内には微弱な放電が起きるので、セル内に壁電荷が生成される。次いで、セットダウン時、下降する電圧により不要な荷電粒子が部分的に消去されて壁電荷が誤放電を起こさずに、次のアドレス放電に助ける程度に下降する。この壁電荷の下降のために、リセットパルスＲＰのセットダウン区間でサステイン電極Ｚに正極性（＋）の直流電圧Ｖｓを供給する。この正極性（＋）の直流電圧Ｖｓに対して、リセットパルスＲＰは徐々に下降する形態に印加されるので、セットダウン時、スキャン電極Ｙがサステイン電極Ｚに対して相対的な負極性（−）となることによって、すなわち極性が反転されることによって、セットアップ区間に生成された壁電荷が下降する。このようにリセットパルスＲＰの供給によりリセット放電が起き、アドレス放電に必要な壁電荷が全画面のセルに同一に形成される。
【００１４】
アドレス区間ＡＰＤで、スキャン電極ＹにスキャンパルスＳＰが印加されると共に、アドレス電極ＸにデータパルスＤＰが印加されることによってアドレス放電が発生する。このアドレス放電により形成された壁電荷は、他の放電セルがアドレスされる区間に維持される。
【００１５】
サステイン区間ＳＰＤでは、スキャン電極Ｙにサステイン電圧のサステインパルスＳＵＳＰＹが先に印加された後で、サステイン電極Ｚとスキャン電極Ｙとに交互に重ならないように、サステインパルスＳＵＳＰＹ，ＳＵＳＰＺが連続的に印加される。このとき、スキャン電極Ｙに印加されるサステインパルスＳＵＳＰＹとサステイン電極Ｚに印加されるサステインパルスＳＵＳＰＺとの間隔は、ほぼ１００ｎｓ〜２００ｎｓ程度となる。これにより、アドレス放電により選択されたセルは、セル内の壁電圧及びサステイン電圧Ｖｓｕｓが加えられつつ、サステインパルスＳＵＳＰＹ，ＳＵＳＰＺが供給されるたびに、スキャン電極Ｙとサステイン電極Ｚとの間にサステイン放電、すなわち表示放電が起きる。
【００１６】
一方、サステイン区間ＳＰＤに、アドレス区間に選択されていない非選択セル内には、セル内の壁電圧と外部電圧との和が放電開始電圧より低いため、サステイン放電が起きない。サステイン放電が完了した後には、サステイン放電によりセル内に残留する壁電荷を消去するための消去信号（図示せず）がスキャン電極Ｙやサステイン電極Ｚに印加される。
【００１７】
しかし、ＰＤＰは、明るい画像が一定時間以上表示された後で暗い画像に変わるとき、暗く画像が変わるものではなく、明るい残像が表れるという問題点がある。このような残像は、サステイン区間に発生するサステイン放電により、セル内に蓄積される電荷が隣接した放電セルに移動し、蛍光体上に蓄積される電荷が原因として作用している。また、従来のＰＤＰは、サステインパルスの上昇時間を速める場合に放電強度が弱くなり、その結果、駆動マージンが狭くなって高温環境で誤放電を引き起こす
【発明の開示】
【発明が解決しようとする課題】
【００１８】
本発明の目的は、残像を最小化したプラズマ表示装置及びその駆動方法を提供することにある。
【課題を解決するための手段】
【００１９】
前記の目的を達成するために、本発明によるプラズマ表示装置は、第１電極に第１サステインパルスを印加する第１駆動部、及び第２電極に第２サステインパルスを印加する第２駆動部を備え、前記第２サステインパルスの上昇区間及び前記第１サステインパルスの下降区間は、少なくとも部分的に重なる。
【００２０】
前記第２サステインパルスの下降区間及び前記第１サステインパルスの上昇区間は、少なくとも部分的に重なる。
【００２１】
前記第１サステインパルスの上昇区間及び前記第２サステインパルスの下降区間は、電圧変化区間に少なくとも部分的に重なり、前記電圧変化区間は、ほぼ１０ｎｓ〜５００ｎｓの区間である。
【００２２】
前記第１サステインパルスの下降区間及び前記第２サステインパルスの上昇区間は、電圧変化区間に少なくとも部分的に重なり、前記電圧変化区間は、ほぼ１０ｎｓ〜５００ｎｓの区間である。
【００２３】
前記第２サステインパルスの上昇区間から前記第１サステインパルスの下降区間までと定義される電圧変化区間は、前記第２サステインパルスの維持区間に比べて１／３以下である。
【００２４】
前記第２サステインパルスの下降区間から前記第１サステインパルスの上昇区間までと定義される電圧変化区間は、前記第１サステインパルスの維持区間に比べて１／３以下である。
【００２５】
前記上昇区間は、前記第１サステインパルスの維持区間と部分的に重なる。
【００２６】
前記下降区間は、前記第２サステインパルスの維持区間と部分的に重なる。
【００２７】
本発明によるプラズマ表示装置は、第１電極に第１サステインパルスを印加する第１駆動部、及び第２電極に第２サステインパルスを印加する第２駆動部を備え、電圧変化区間の少なくとも一部区間に前記第１サステインパルスの上昇区間が前記第２サステインパルスの下降区間と重なるように、前記第１サステインパルスのデューティーサイクル及び前記第２サステインパルスのデューティーサイクルは、５０％〜６７％の範囲を有する。
【００２８】
本発明によるプラズマ表示装置の駆動方法は、第１電極に第１サステインパルスを印加するステップ、及び第２電極に第２サステインパルスを印加するステップを含み、前記第２サステインパルスの上昇区間及び前記第１サステインパルスの下降区間は、少なくとも部分的に重なる。
【発明の効果】
【００２９】
本発明によるプラズマ表示装置及びその駆動方法は、サステインパルスの間に発生するサステイン放電の放電遅延時間を最小化して、静止映像が表示されるときに発生する残像を最小化でき、さらに、残像を最小化して輝度を向上させ、消費電力を減少させることができる。
【発明を実施するための最良の形態】
【００３０】
以下、図３ないし図５を参照して、本発明の望ましい実施形態について説明する。
【００３１】
図３に示すように、本発明の実施形態によるプラズマ表示装置の駆動方法は、所定の映像を表示するために、一つのフレームの各サブフィールドごとにスキャン電極ＹにリセットパルスＲＰを供給して、リセット放電を起こして放電セルを初期化させるためのリセット区間ＲＰＤ、アドレス電極ＸにデータパルスＤＰを供給すると共にスキャン電極ＹにスキャンパルスＳＰを供給して、アドレス放電を起こして放電セルを選択するためのアドレス区間ＡＰＤ、及びスキャン電極Ｙに印加される第１サステインパルスＳＵＳＰＹとサステイン電極Ｚに印加される第２サステインパルスＳＵＳＰＺとを少なくとも１０ｎｓの区間に重複させて、スキャン電極Ｙとサステイン電極Ｚとの間にサステイン放電を起こして、アドレス区間ＡＰＤで選択された放電を維持させるためのサステイン区間ＳＰＤに分けて駆動される。
【００３２】
リセット区間ＲＰＤでは、スキャン電極ＹにリセットパルスＲＰが印加される。リセットパルスＲＰは、ランプ波形にセットアップ時に電圧が上昇し、セットダウン時は電圧が下降する形態を有する。セットアップ時、スキャン電極Ｙとサステイン電極Ｚとの間でリセット放電が発生して、全画面のセル内には微弱な放電が起きるので、セル内に壁電荷が生成される。次いで、セットダウン時、下降する電圧により不要な荷電粒子が部分的に消去されて壁電荷が誤放電を起こさずに、次のアドレス放電に助ける程度に下降する。この壁電荷の下降のために、リセットパルスＲＰのセットダウン区間でサステイン電極Ｚに正極性（＋）の直流電圧Ｖｓを供給する。この正極性（＋）の直流電圧Ｖｓに対して、リセットパルスＲＰは徐々に下降する形態に印加されるので、セットダウン時、スキャン電極Ｙがサステイン電極Ｚに対して相対的な負極性（−）となることによって、すなわち極性が反転されることによって、セットアップ区間に生成された壁電荷が下降する。このようにリセットパルスＲＰの供給によりリセット放電が起き、アドレス放電に必要な壁電荷が全画面のセルに同一に形成される。
【００３３】
アドレス区間ＡＰＤでは、スキャン電極ＹにスキャンパルスＳＰが印加されると共に、アドレス電極ＸにデータパルスＤＰが印加されることによってアドレス放電が発生する。このアドレス放電により形成された壁電荷は、他の放電セルがアドレスされる区間に維持される。
【００３４】
サステイン区間ＳＰＤでは、サステイン電圧レベルＶｓｕｓの第１及び第２サステインパルスＳＵＳＰＹ，ＳＵＳＰＺが一部区間Ｔ１，Ｔ１´で重なるように、スキャン電極Ｙ及びサステイン電極Ｚに交互に印加される。
【００３５】
スキャン電極Ｙに印加される第１サステインパルスＳＵＳＰＹは、ほぼ３００ｎｓ〜７００ｎｓ程度の上昇区間、ほぼ１．７μｓ〜１．９μｓ程度の維持区間Ｔ２及びほぼ３００ｎｓ〜６００ｎｓ程度の下降区間を有する。このとき、第１サステインパルスＳＵＳＰＹの上昇区間は、基底電圧ＧＮＤからサステイン電圧Ｖｓｕｓに上昇する区間であり、維持区間Ｔ２は、サステイン電圧レベルＶｓｕｓを維持する区間であり、下降区間は、サステイン電圧Ｖｓｕｓから基底電圧ＧＮＤに下降する区間である。
【００３６】
また、サステイン電極Ｚに印加される第２サステインパルスＳＵＳＰＺは、ほぼ３００ｎｓ〜７００ｎｓ程度の上昇区間、ほぼ１．１μｓ〜１．３μｓ程度の維持区間Ｔ２´及びほぼ３００ｎｓ〜６００ｎｓ程度の下降区間を有する。結果的に、第２サステインパルスＳＵＳＰＺは、第１サステインパルスＳＵＳＰＹの維持区間Ｔ２より短い区間Ｔ２´にサステイン電圧レベルＶｓｕｓを維持する。
【００３７】
一方、サステインパルスＳＵＳＰＹ，ＳＵＳＰＺの上昇時間を３００ｎｓ〜７００ｎｓと長くすれば、その上昇区間中に二重放電、すなわち放電が２回連続して起きるので、放電効率及び発光効率が向上し、その結果、放電セルの輝度が向上するので、残像が相対的に見られなくなる。また、後述するように、第１サステインパルスＳＵＳＰＹと第２サステインパルスＳＵＳＰＺの電圧変化区間を一部重複させれば、放電強度が弱くなっても放電時に空間電荷を十分に利用できるので、駆動マージンが確保され、消費電力も減少する。
【００３８】
前記第１サステインパルスＳＵＳＰＹ及び第２サステインパルスＳＵＳＰＺは、図４に示したように、ほぼ１０ｎｓ〜５００ｎｓ程度の時間Ｔ１，Ｔ１´で重なる。すなわち、第１サステインパルスＳＵＳＰＹの上昇区間及び第２サステインパルスＳＵＳＰＺの下降区間は、ほぼ１０ｎｓ〜５００ｎｓ程度の時間Ｔ１で重なり、第１サステインパルスＳＵＳＰＹの下降区間及び第２サステインパルスＳＵＳＰＺの上昇区間は、ほぼ１０ｎｓ〜５００ｎｓ程度の時間Ｔ１´で重なるように、スキャン電極Ｙ及びサステイン電極Ｚに第１及び第２サステインパルスＳＵＳＰＹ，ＳＵＳＰＺが交互に印加される。前記第１及び第２サステインパルスＳＵＳＰＹ，ＳＵＳＰＺは、第１サステインパルスＳＵＳＰＹの上昇時間及び第２サステインパルスＳＵＳＰＺの下降時間のみが重なってもよく、第１サステインパルスＳＵＳＰＹの下降時間及び第２サステインパルスＳＵＳＰＺの上昇時間のみが重なってもよい。
なお、時間Ｔ１は、第１サステインパルスＳＵＳＰＹの上昇区間の開始時点から第２サステインパルスＳＵＳＰＺの下降区間の終了時点までの時間で定義される。時間Ｔ２は、第１サステインパルスＳＵＳＰＹの下降区間の開始時点から第２サステインパルスＳＵＳＰＺの下降区間の終了時点までの時間で定義される。
【００３９】
第１及び第２サステインパルスＳＵＳＰＹ，ＳＵＳＰＺは、図５に示したように、第１及び第２サステインパルスＳＵＳＰＹ，ＳＵＳＰＺがサステイン電圧レベルＶｓｕｓを維持する維持区間Ｔ２，Ｔ２´の１／３区間を最大とするＴ１，Ｔ１´で重なる。すなわち、スキャン電極Ｙに印加される第１サステインパルスＳＵＳＰＹは、サステイン電極Ｚに印加された第２サステインパルスＳＵＳＰＺがサステイン電圧レベルＶｓｕｓを維持する維持区間Ｔ２´の最大の１／３区間Ｔ１で重なり、サステイン電極Ｚに印加される第２サステインパルスＳＵＳＰＺは、スキャン電極Ｙに印加された第１サステインパルスＳＵＳＰＹがサステイン電圧レベルＶｓｕｓを維持する維持区間Ｔ２の最大の１／３区間Ｔ１´で重なる。このような重複条件を満足するために、サステインパルスのデューティー比は、ほぼ５０％〜６７％である。
【００４０】
一方、前記重複区間が１／３以上に増加すれば、電磁気妨害（ＥＭＩ）と放電セルの温度が上昇し、サステインパルスの波形歪曲が発生しうる。
【００４１】
アドレス放電により選択されたセルは、セル内の壁電圧及びサステイン電圧Ｖｓｕｓが加えられつつ、第１及び第２サステインパルスＳＵＳＰＹ，ＳＵＳＰＺの上昇区間ごとに、スキャン電極Ｙとサステイン電極Ｚとの間にサステイン放電、すなわち表示放電が起きる。このようなサステイン区間ＳＰＤでは、第１サステインパルスＳＵＳＰＹと第２サステインパルスＳＵＳＰＺとの間隔を縮めることによって、サステイン放電の放電遅延時間を短縮させることによって、放電遅延による残像を減少させ、消費電力を減少させる。
【００４２】
一方、サステイン区間ＳＰＤに、アドレス区間に選択されていない非選択セル内には、セル内の壁電圧と外部電圧との和が放電開始電圧より低いため、サステイン放電が起きない。
【００４３】
サステイン放電が完了した後には、サステイン放電によりセル内に残留する壁電荷を消去するための消去信号（図示せず）がスキャン電極Ｙやサステイン電極Ｚに印加される。
【００４４】
このような本発明の実施形態によるプラズマ表示装置の駆動方法は、スキャン電極Ｙに印加される第１サステインパルスＳＵＳＰＹ及びサステイン電極Ｚに印加される第２サステインパルスＳＵＳＰＺを一定区間Ｔ１，Ｔ１´で重複させてサステイン放電を発生させることによって、サステイン放電の間の放電遅延を最小化して、特定の画像が一定時間に具現されるときに発生する残像を最小化できる。これにより、本発明の実施形態によるプラズマ表示装置の駆動方法は、残像を最小化して輝度を向上させ、第１及び第２サステインパルスＳＵＳＰＹ，ＳＵＳＰＺを一定区間Ｔ１，Ｔ１´に重複させることによって、サステイン区間ＳＰＤが短縮して消費電力を減少させる。
【００４５】
一方、本発明の実施形態によるＰＤＰの駆動装置は、既存のスキャン電極の駆動回路及びサステイン電極の駆動回路の構成と実質的に同一な構成で具現され、図３ないし図５のように、第１サステインパルスＳＵＳＰＹ及び第２サステインパルスＳＵＳＰＺの上昇区間及び下降区間が少なくとも一部重なるように、各駆動回路に備えられたスイッチ素子の動作タイミングを既存と異なって制御するものとして具現可能である。
【００４６】
前述したように、本発明の実施形態によるプラズマ表示装置の駆動方法は、サステイン区間にスキャン電極及びサステイン電極に印加されるサステインパルスの一部を重複させて、スキャン電極及びサステイン電極に印加されるサステインパルスの上昇区間ごとにサステイン放電を発生させる。これにより、本発明は、サステインパルスの間に発生するサステイン放電の放電遅延時間を最小化して、特定の画像が一定時間に具現されるとき（すなわち、静止映像が表示されるとき）に発生する残像を最小化できる。さらに、本発明は、残像を最小化して輝度を向上させ、消費電力を減少させることができる。
【００４７】
以上説明した内容を通じて、当業者であれば、本発明の技術思想を逸脱しない範囲で多様な変更及び修正が可能であるということが分かる。したがって、本発明の技術的範囲は、明細書の詳細な説明に記載された内容に限定されるものではなく、特許請求の範囲により決まらねばならない。
【図面の簡単な説明】
【００４８】
【図１】交流駆動方式の面放電型のＰＤＰを示す斜視図である。
【図２】図１に示したＰＤＰの駆動波形図である。
【図３】本発明の第１実施形態によるＰＤＰの駆動波形図である。
【図４】図３に示したサステインパルスの間の最小重複区間を示す波形図である。
【図５】図３に示したサステインパルスの間の最大重複区間を示す波形図である。
【図１】
2006189828.tif 000003
【図２】
2006189828.tif 000004
【図３】
2006189828.tif 000005
【図４】
2006189828.tif 000006
【図５】
2006189828.tif 000007